(57)【要約】【課題】  小型ＵＳＢ機器やケーブルのＵＳＢ端子部分を窪みや磁石に取り付け、まとめて管理することで、機器の使用を効率化し紛失を防ぐ器具を提供する。【解決手段】  ＵＳＢ端子を挿入して端子の固定が可能な大きさを有する端子差込口３を基材上に複数個形成した本体１に、背面磁石ユニット５と磁石ユニットレール１３からなる取り付け器２を設ける。また、側面磁石４を本体１の側面に設けたことによりＵＳＢ端子６を容易に付け外しできるように構成してある。【選択図】図１
2009252733.tif 000002
【特許請求の範囲】
【請求項１】
ＵＳＢ端子を挿入して端子の固定が可能な形状を有する窪みを、基材上に複数個設けたことを特徴とする器具
【請求項２】
ヨークを取り付けた磁石をレール状の構造に固定して、請求項１記載の器具を机の脚等に取り付けられるよう構成したことを特徴とする請求項１記載の器具
【請求項３】
基材に磁石をはめ込み固定することで、磁力を用いてＵＳＢ端子を取り付けられることを特徴とする請求項１または請求項３記載の器具
【請求項４】
請求項１において、窪みの上下端の形状を八角形にしたことを特徴とする器具
【発明の詳細な説明】
【技術分野】
【０００１】  この発明は、小型ＵＳＢ機器やケーブルのＵＳＢ端子部分を窪みや磁石に取り付け、まとめて管理することで、機器の使用を効率化し紛失を防ぐ器具に関するものである。
【背景技術】
【０００２】  ＵＳＢ（Ｕｎｉｖｅｒｓａｌ  Ｓｅｒｉａｌ  Ｂｕｓ）端子は現在、多くのＰＣ（Ｐｅｒｓｏｎａｌ  Ｃｏｍｐｕｔｅｒ）周辺機器に採用されている端子形態の１つであり、ＰＣを使用する環境の周辺にはＵＳＢ端子を使用した周辺機器が散在している。これらＵＳＢ端子を使用した周辺機器は、使用形態により、ＰＣと常時接続されている機器類と常時接続されていない機器類に分類することができる。前者の例としてはプリンタやマウスなどの機器が代表的であり、これらの機器は頻繁に使用されるために常時接続されていることが多い。また、後者にはＵＳＢフラッシュメモリや外付けハードディスクなどの機器が代表的であり、これらの機器は使用後に機器を携帯して持ち運ぶなど、複数のＰＣで１つの機器を使用する必要がある場合や、使用頻度が低いためにＰＣと常時接続されていないことが多い。これらの常時接続されていない機器やそのケーブルは個々に分散しており、１箇所にまとめられることはなかった。
【発明の開示】
【発明が解決しようとする課題】
【０００３】  ＰＣと常に接続されていないＵＳＢ周辺機器のなかでも特にＵＳＢフラッシュメモリは他の周辺機器と比べて小型であり、携行して使用することが多く、それに伴い、他の周辺機器と比べて機器を紛失する可能性が比較的高かった。さらに、機器のＵＳＢ端子を保護するための付属のキャップも紛失しやすく、外付けハードディスクなどの機器においても、ＰＣに接続する際に、機器とＰＣを接続するＵＳＢケーブルの先端部分を捜す必要があった。また、複数の同様のＵＳＢ機器がある場合などはＵＳＢケーブルが周辺に散在しており、１箇所で管理できなかった。【０００４】  上記のような問題点に鑑み本発明は、ＵＳＢ機器やＵＳＢケーブルのオス型端子を複数個取り付けることができる器具により、機器類を１箇所に効率的に管理することを目的とするものである。
【課題を解決するための手段】
【０００５】  以下、本発明の要旨を添付の図面に基づいて説明する。【０００６】  上記の目的を達成するため、請求項１記載の発明は、合成樹脂などの部材からなる基材上に、ＵＳＢ端子６を挿入・固定が可能な形状を有した底のある窪みからなる端子差込口３を形成し、同様の窪みを一定間隔・一定方向に複数個設けたものを主体とする。この端子差込口３の縦側面の中央部分には、ＵＳＢ端子６の縦側面にある窪みとかみ合う形状の端子固定突起９が、左右それぞれ２箇所ずつ突出している。また、多くの機器をバランスよく管理するために、端子差込口３を正面から見て横方向に列状に並べる。加えて、ＵＳＢ端子６を抜き差ししやすくするために、正面方向に差込口の入口を向けて列を傾斜している。【０００７】  請求項２記載の発明は、本体１の基材と一体形成された磁石ユニットレール１３に、背面磁石１０とヨーク１１からなる背面磁石ユニット５をはめたものを取り付け器２として使用し、本体１を机の脚などに固定できるよう構成したものである。【０００８】  請求項３記載の発明は、本体１の側面や正面などに磁石をはめ込める窪みを形成し、そこに粘着テープや接着剤を用いて側面磁石４を取り付けたものである。この側面磁石４の磁力により、同じく磁性体の部材を有するＵＳＢ端子６を本体に簡単に取り付けられるようになっている。【０００９】  請求項４記載の発明は、ＵＳＢ端子６を挿入する端子差込口３の窪みの上下端の形状を、端子を差込み可能な八角形にすることにより、ＵＳＢ端子６を端子差込口３に縦、横、左右斜めの４方向に自由に取り付けられるようにしたものである。
【発明の効果】
【００１０】  請求項１記載の発明によれば、ＵＳＢ端子６を端子差込口３に差込むことでＵＳＢ機器７やＵＳＢケーブル８を器具本体に固定できる。また、同様の端子差込口３を複数個形成することで、複数のＵＳＢ機器を管理できる。加えて、端子固定突起９がＵＳＢ端子６の４箇所の窪みとかみ合うために、端子差込口３の大きさを拡大しても端子が抜けにくくなり、端子が挿しやすく抜けにくい構造となっている。さらに、端子差込口３を２列に分けて形成することで、列が横方向に広がりすぎ、端子を挿した際に全体が傾かないようにしている。２つの列の前後の間隔を広げるために、正面側の差込口の列は正面方向に入口を向けるように傾斜している。これらの要素により、機器を使用する際にはＵＳＢ機器７やＵＳＢケーブル８を捜す必要がなくなり、効率的に機器を使用でき、機器やケーブル端子を１箇所にまとめることで紛失も防止できる。さらに、端子差込口３がＵＳＢ端子６を覆うので、端子を塵や埃から保護できる。【００１１】  請求項２記載の発明によれば、背面に磁石を設けた取り付け器２を用いて、本体１を机の脚などの磁性体部分に固定でき、ＵＳＢ端子６を抜き差しする力により本体１が移動することなく、目的の位置に本体１を設置することができる。また、取り付け器２のレール部分は本体１の基材と一体して形成できる。【００１２】  請求項３記載の発明によれば、本体１の側面や正面などに磁石をはめ込める窪みを形成し、そこにテープや接着剤を用いて側面磁石４を取り付けたことにより、磁力によりＵＳＢ端子６を容易に本体１と付け外しできるようになる。とくに使用頻度の高い機器やケーブル、一時的に取り外した端子などは側面磁石４に取り付けて使用すると、取り付けと取り外しが極めて容易となる。【００１３】  請求項４記載の発明によれば、ＵＳＢ端子６を挿入する端子差込口３の窪みの上下端の形状を、端子を差込み可能な八角形にすることにより、ＵＳＢ端子６を端子差込口３に縦、横、左右斜めの４方向に自由に取り付けることができ、ＵＳＢ端子を挿入する際の自由度が向上する。これにより、機器の種類に応じてＵＳＢ端子６を取り付ける方向を変化させ分類できるので、より効率的に機器を管理することが可能である。
【発明を実施するための最良の形態】
【００１４】  以下、本発明を実施するための最良の形態について添付の図面に基づいて説明する。【００１５】  ＵＳＢ−Ａオス端子を用いたＵＳＢ機器７やＵＳＢケーブル８を管理することを目的とした本発明のＵＳＢ機器管理器具においては、端子差込口３の寸法は縦１２ｍｍ、横５ｍｍ、深さ１０ｍｍ程度が適切である。端子差込口３の入口部分は、ＵＳＢ端子６を差込みやすくするために、底に向かって滑らかに角を削ってある。端子固定突起９は高さ０．５ｍｍ程度の滑らかな突起であり、端子差込口３の底から測ってＵＳＢ端子６の４箇所の窪みとかみ合う位置に突起を配置する必要がある。（図７参照）【００１６】  また、端子差込口３の個数は６個程度が適当であり、これを順に横に並べて列をつくり、同様の列を正面から見て縦方向に前列と平行して並べる。ここで、端子差込口３は端子を差込みしやすいように、正面方向に入口を向けるように列を傾斜してある。加えて、ＵＳＢ機器の大きさを考慮して、横に並べた差込口どうしの間隔は８ｍｍ程度必要である。上記のような端子差込口３は、合成樹脂などの部材を用いて、取り付け器２の背面磁石ユニット５以外の部分と一体形成が可能である。【００１７】  背面磁石ユニット５は背面磁石１０にヨーク１１を被せたものである。実際には、背面磁石がヨークからはがれないようにテープ等をヨークに巻きつけて背面磁石を固定してある。また、ヨーク１１の一部がツメ１２を形成しており、磁石ユニットレール１３の磁石ユニット固定突起１４とかみ合わせることで背面磁石ユニット５を本体に取り付けている。背面磁石１０に用いる磁性体は可能な限り磁力が強いほうがよく、ネオジム磁石などが最適である。しかし、磁力が足りない場合や磁石が使えない環境の場合には、クランプなどを取り付け器２として本体１に取り付け、それを用いて本体を対象に固定することが可能である。また、他に考えられる取り付け器２としては、両面テープ、吸盤、フック、接着剤などがある。【００１８】  側面磁石４について、添付図においては側面に沿った形状の磁石を用いているが、長方形の磁石や円形の磁石などでも代用できる。また、側面磁石４の取り付け位置は、他のＵＳＢ機器７やＵＳＢケーブル８の邪魔にならずにＵＳＢ端子６を取り付けられるようにするため、本体両側面が最適であり、磁石を垂直方向に立てて取り付けることで場所をとらない。側面磁石４に用いる磁性体の種類は、ＵＳＢ端子６を軽い力で取りはずせる必要もあるため、フェライト磁石などを用いるのが最適である。【００１９】  請求項４記載の発明は、上下端の形状が一辺約５ｍｍの正八角形の端子差込口３を用いることにより、ＵＳＢ端子を縦、横、左右斜めの４方向に自由に取り付けられる。これは、ＵＳＢ端子６の縦横比が正八角形の１辺の長さと、平行する２辺の距離の長さの比に近いことを利用している。また、使用方法は上下端の形状が四角形の端子差込口３を用いたものと基本的に同じではあるが、機器の種類に応じてＵＳＢ端子６を取り付ける方向を変化させ分類することで、より効率的に機器を管理することが可能である。【００２０】  本発明のＵＳＢ機器管理器具は、ＰＣと接続していないＵＳＢ機器７やＵＳＢケーブル８のＵＳＢ端子６を、���子差込口３に差込むことで機器やケーブルを管理する。図のＵＳＢ機器７は例としてＵＳＢフラッシュメモリである。機器をＰＣに接続する場合や、携行する場合には、端子差込口３から抜いて使用する。とくに使用頻度の高い機器やケーブル、一時的に取り外した端子などは側面磁石４に取り付けて使用すると、取り付けと取り外しが極めて容易となる。また、取り付け器２を用いて本体１を設置する場所は、例えばＰＣの周辺にある机の脚の上部などの手の届きやすい位置が最適であるが、磁性体をフレームに用いたＰＣケースなどにも取り付けられる。【００２１】  加えて、数種類あるＵＳＢ端子の中でも特に本発明においては、一般的に多くのＵＳＢ機器やＵＳＢケーブルに採用されているＵＳＢ−Ａオス端子を管理することを目的としている。また、転送速度においても端子の形状や部材の変更が行われない限り、転送速度に関係なく本発明のＵＳＢ機器管理器具を使用できる。【００２２】  本発明のＵＳＢ機器管理器具の使用において注意すべき点は、背面磁石１０や側面磁石４を取り付けた場合、磁性体から発せられる磁気が、磁気記録媒体を使用した機器などに悪影響を与える可能性があるので、これらの機器を本体１に近づけることは避けるべきである。一般的なＵＳＢフラッシュメモリやＵＳＢケーブルは本発明のＵＳＢ端子管理器具に問題なく取り付けることができる。
【図面の簡単な説明】
【００２３】
【図１】図１は本発明を実施するＵＳＢ機器管理器具にＵＳＢ機器類を取り付けたときの正面から見た全体の斜視図である。
【図２】図２は本発明を実施するＵＳＢ機器管理器具全体を背面から見た斜視図である。
【図３】図３は本発明を実施するＵＳＢ機器管理器具の正面図である。
【図４】図４は本発明を実施するＵＳＢ機器管理器具の側面図である。
【図５】図５は本発明を実施するＵＳＢ機器管理器具の背面図である。
【図６】図６は端子差込口の１つを取り出した拡大斜視図である。
【図７】図７は背面磁石ユニット５の斜視図である。
【図８】図８は取り付け器２の磁石ユニットレール部分の拡大斜視図である。
【図９】図９は端子差込口の上下端の形状が八角形のＵＳＢ機器管理器具の斜視図である。
【図１０】図１０は端子差込口の上下端の形状が八角形のＵＳＢ機器管理器具の平面図である。
【符号の説明】
【００２４】１  本体
２  取り付け器
３  端子差込口
４  側面磁石
５  背面磁石ユニット
６  ＵＳＢ端子
７  ＵＳＢ機器
８  ＵＳＢケーブル
９  端子固定突起
１０  背面磁石
１１  ヨーク
１２  ツメ
１３  磁石ユニットレール
１４  磁石ユニット固定突起
【図１】
2009252733.tif 000003
【図２】
2009252733.tif 000004
【図３】
2009252733.tif 000005
【図４】
2009252733.tif 000006
【図５】
2009252733.tif 000007
【図６】
2009252733.tif 000008
【図７】
2009252733.tif 000009
【図８】
2009252733.tif 000010
【図９】
2009252733.tif 000011
【図１０】
2009252733.tif 000012